(57)【要約】【課題】無線通信端末装置による通信を現在地の通信エリアで可能にしつつ、通信エリアの周波数利用効率の偏りを可及的に解消する。【解決手段】無線通信制御装置は、地図情報、無線通信品質、および通信速度の各データベースを含み、サーバへの通信要求と共に無線通信端末装置から送信された時刻、端末位置、無線通信品質、および通信サービスの各データを受信し、端末位置と地図情報データベースの地図情報とを比較して無線通信端末装置の現在地の通信エリアを判定し、通信エリアおよび通信サービスに対応する無線通信品質閾値を無線通信品質データベースから決定し、通信エリアおよび時刻に対応する平均通信速度値を通信速度データベースから決定し、無線通信品質値が無線通信品質閾値以上か否か、および平均通信速度値が通信サービスから決定された通信速度閾値以上か否かを判定して、無線通信端末装置の現在地での通信開始を許可するか否かを決定する。【選択図】図５
2014143621.tif 000002
【特許請求の範囲】
【請求項１】
無線基地局装置を介した無線通信端末装置とサーバと間の通信を制御する無線通信制御装置であって、
前記無線基地局装置がカバーする通信エリアに従って分割された地図情報を含む地図情報データベースと、前記無線通信端末装置と前記無線基地局装置との間の無線通信回線の無線通信品質値を含む無線通信品質データベースと、前記無線通信回線の所定時間毎の通信速度値を含む通信速度データベースとを含む記憶部と、
前記サーバに対する通信要求と共に前記無線通信端末装置から送信された時刻データ、端末位置データ、無線通信品質データ、およびサービス種別データを受信する通信部と、
前記通信部により受信された前記端末位置データが示す前記無線通信端末装置の現在地と、前記地図情報データベースの前記地図情報とを比較して、前記無線通信端末装置の現在地をカバーする通信エリアを判定する位置判定部と、
前記位置判定部により判定された前記通信エリアに対応しかつ前記通信部により受信された前記サービス種別データが示す通信サービスに対応する無線通信品質閾値を、前記無線通信品質データベースに含まれる前記無線通信品質値を基に決定し、前記位置判定部により判定された前記通信エリアに対応しかつ前記通信部により受信された前記時刻データが示す時刻に対応する平均通信速度値を、前記通信速度データベースに含まれる前記通信速度値を基に決定する閾値決定部と、
前記通信部により受信された前記無線通信品質データが示す無線通信品質値が前記閾値決定部により決定された前記無線通信品質閾値以上であるか否か、および前記閾値決定部により決定された前記平均通信速度値が前記通信部により受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する通信可否判定部と、
を含む、無線通信制御装置。
【請求項２】
前記通信部により受信された前記無線通信品質データが示す無線通信品質値が前記閾値決定部により決定された前記無線通信品質閾値未満であると判定され、かつ前記閾値決定部により決定された前記平均通信速度値が前記通信速度閾値未満であると判定された場合に、前記通信可否判定部は、前記通信部により受信された前記サービス種別データが示す前記通信サービスが通信を即時に開始する必要がある通信サービスであるか否かを判定する、請求項１に記載の無線通信制御装置。
【請求項３】
前記サービス種別データが示す前記通信サービスが通信を即時に開始する必要がある通信サービスであると判定された場合に、前記通信可否判定部は、要求された前記サーバへの前記通信を開始する否かの確認を前記無線通信端末装置へ送信する、請求項２に記載の無線通信制御装置。
【請求項４】
前記通信可否判定部は、前記位置判定部により判定された前記通信エリアをカバーする無線基地局装置に、現在の通信速度値を問い合わせ、前記無線基地局装置から受信した現在の通信速度値を前記閾値決定部により決定された前記平均通信速度値の代わりに前記通信の開始を許可するか否かの判定に用いる、請求項１〜３の何れか一項に記載の無線通信制御装置。
【請求項５】
前記無線通信制御装置は、前記サーバに含まれる、請求項１〜４の何れか一項に記載の無線通信制御装置。
【請求項６】
前記無線通信制御装置は、前記無線基地局装置に含まれる、請求項１〜４の何れか一項に記載の無線通信制御装置。
【請求項７】
前記無線通信制御装置は、前記無線通信端末装置に含まれる、請求項１〜４の何れか一項に記載の無線通信制御装置。
【請求項８】
無線通信端末装置と、
前記無線通信端末装置と無線通信回線を介して通信する無線基地局装置と、
前記無線通信端末からの通信要求に従ってデータを無線通信端末装置へ送信するサーバと、
前記無線基地局装置を介した前記線通信端末装置と前記サーバと間の通信を制御する無線通信制御装置とを含み、
前記無線通信制御装置は、
前記無線基地局装置がカバーする通信エリアに従って分割された地図情報を含む地図情報データベースと、前記無線通信端末装置と前記無線基地局装置との間の前記無線通信回線の無線通信品質値を含む無線通信品質データベースと、前記無線通信回線の所定時間毎の通信速度値を含む通信速度データベースとを含む記憶部と、
前記サーバに対する通信要求と共に前記無線通信端末装置から送信された時刻データ、端末位置データ、無線通信品質データ、およびサービス種別データを受信する通信部と、
前記通信部により受信された前記端末位置データが示す前記無線通信端末装置の現在地と、前記地図情報データベースの前記地図情報とを比較して、前記無線通信端末装置の現在地をカバーする通信エリアを判定する位置判定部と、
前記位置判定部により判定された前記通信エリアに対応しかつ前記通信部により受信された前記サービス種別データが示す通信サービスに対応する無線通信品質閾値を、前記無線通信品質データベースに含まれる前記無線通信品質値を基に決定し、前記位置判定部により判定された前記通信エリアに対応しかつ前記通信部により受信された前記時刻データが示す時刻に対応する平均通信速度値を、前記通信速度データベースに含まれる前記通信速度値を基に決定する閾値決定部と、
前記通信部により受信された前記無線通信品質データが示す無線通信品質値が前記閾値決定部により決定された前記無線通信品質閾値以上であるか否か、および前記閾値決定部により決定された前記平均通信速度値が前記通信部により受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する通信可否判定部と、を含む、
無線通信システム。
【請求項９】
無線基地局装置を介した無線通信端末装置とサーバと間の通信を無線通信制御装置が制御する無線通信制御方法であって、
前記無線基地局装置がカバーする通信エリアに従って分割された地図情報を含む地図情報データベースと、前記無線通信端末装置と前記無線基地局装置との間の無線通信回線の無線通信品質値を含む無線通信品質データベースと、前記無線通信回線の所定時間毎の通信速度値を含む通信速度データベースとを前記無線通信端末装置の記憶部に格納し、
前記サーバに対する通信要求と共に前記無線通信端末装置から送信された時刻データ、端末位置データ、無線通信品質データ、およびサービス種別データを受信し、
受信された前記端末位置データが示す前記無線通信端末装置の現在地と、前記地図情報データベースの前記地図情報とを比較して、前記無線通信端末装置の現在地をカバーする通信エリアを判定し、
判定された前記通信エリアに対応しかつ受信された前記サービス種別データが示す通信サービスに対応する無線通信品質閾値を、前記無線通信品質データベースに含まれる前記無線通信品質値を基に決定し、
判定された前記通信エリアに対応しかつ受信された前記時刻データが示す時刻に対応する平均通信速度値を、前記通信速度データベースに含まれる前記通信速度値を基に決定し、
受信された前記無線通信品質データが示す無線通信品質値が決定された前記無線通信品質閾値以上であるか否か、および決定された前記平均通信速度値が受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する、
無線通信制御方法。
【発明の詳細な説明】
【技術分野】
【０００１】
本発明は、無線通信制御装置、無線通信システム、および無線通信制御方法に関する。
【背景技術】
【０００２】
近年、スマートフォンと称される無線通信端末装置が普及している。こうした無線通信端末装置には、音声データ、画像データ、動画データ等の各種データを通信ネットワーク介してサーバとの間で送受信するための様々なアプリケーションソフトソフトウェアが実装され得る。こうした無線通信端末装置が普及するに従って、無線通信システムのトラヒックは増加している。
【０００３】
無線通信システムのトラヒックの増加に対応するために、電気通信事業者は、無線通信システムの設備を増設する等、無線通信システム全体の通信容量を増加させる様々な施策を提案している。しかしながら、無線通信システム全体の通信容量を増加させる様々な施策が実行されても、無線通信端末装置を保持するユーザの位置分布を変更することはできない。したがって、通信を実行する無線通信端末装置が偏在することによって特定の通信エリアにトラヒックが偏る、通信エリアの周波数利用効率の偏りを解消することはできない。
【０００４】
通信エリアの周波数利用効率の偏りを解消することに利用し得る技術としては、次のような技術が知られている。すなわち、車載された車両用通信装置は、車両の現在位置から目的地までの車両の経路情報を通信網管理装置へ送信する。車両用通信装置は、経路を含む通信エリア毎の無線リソース状況を通信網管理装置から受信する。車両用通信装置は、受信された通信エリア毎の無線リソース状況を参照して、車両が走行する通信エリアを決定したり、走行中の通信エリアにおける通信態様を決定する。
【０００５】
また、次のような技術が知られている。すなわち、移動通信端末装置は、移動通信端末装置の現在位置から目的地までの経路における通信路の状況と、ユーザが行う予定の通信の種類とから、移動通信端末装置に要求されたデータ通信が可能な経路を探索し、通信スケジュールを作成する。そして、作成された通信スケジュールの通信条件に合致する状態に移動通信端末装置がなった場合には、移動通信端末装置は、通信を実行する。
【０００６】
さらに、次のような技術が知られている。すなわち、携帯電話機は、時刻情報および位置情報を取得する。また、携帯電話機は、基地局から送信されたパイロット信号に基づいて、現時点で受信可能なデータ通信速度を測定する。携帯電話機は、測定されたデータ通信速度を時刻情報および位置情報と対応付けて通信レベルに関する履歴情報を生成し、生成された履歴情報を時系列順にデータベース化する。携帯電話機は、データ通信ガイドモードへの移行要求を受けると、時刻情報および位置情報を取得する。携帯電話機は、取得された時刻情報および位置情報に対応する複数の履歴情報をデータベースから読み出す。携帯電話機は、読み出された複数の履歴情報が示すエリアのデータ通信速度を携帯電話機の現在位置を中心とした地図データに重ねてガイド表示画面を生成し、生成されたガイド表示画面を表示する。
【先行技術文献】
【特許文献】
【０００７】
【特許文献１】特開２００９−１８８８８３号公報
【特許文献２】特開２００８−２３６３８１号公報
【特許文献３】特開２００３−２４９８８７号公報
【発明の概要】
【発明が解決しようとする課題】
【０００８】
前述のように、現在の通信エリアから良好な無線通信品質が得られると予測された通信エリアへ無線通信端末装置を移動させ、移動先の通信エリアにおいて無線通信端末装置に通信させる技術が知られている。
【０００９】
しかしながら、前述の技術では、移動先の通信エリアにおける無線通信品質が予測されるにすぎない。移動先の通信エリアにおける無線通信品質の予測精度は、長時間先の無線通信品質を予測するに従って低下し得る。このため、良好な無線通信品質が得られると予測された通信エリアへ無線通信端末装置が現実に移動した時点において、移動先の通信エリアにおいて予測どおりの無線通信品質が得られるとは限らない。
【００１０】
また、通信エリアの周波数利用効率の偏りを解消するために前述の技術を利用すると、無線通信端末装置を保持するユーザは、現在の通信エリアから、周波数利用効率が低く良好な無線通信品質が得られると予測された通信エリアへ移動することを強いられる。このため、現在の通信エリアから良好な無線通信品質が得られると予測された通信エリアまでの経路と、ユーザが移動しようと希望する経路とが合致しなければ、通信エリアの周波数利用効率の偏りを解消するために前述の技術を利用することは難しい。
【００１１】
発明が解決しようとする課題は、現在位置する通信エリアにおいて無線通信端末装置による通信を可能にしつつ、通信エリアの周波数利用効率の偏りを可及的に解消することである。
【課題を解決するための手段】
【００１２】
一実施形態に従った無線通信制御装置は、無線基地局装置を介した無線通信端末装置とサーバと間の通信を制御する。無線通信制御装置は、記憶部、通信部、位置判定部、閾値決定部、および通信可否判定部を含む。記憶部は、無線基地局装置がカバーする通信エリアに従って分割された地図情報を含む地図情報データベースと、無線通信端末装置と無線基地局装置との間の無線通信回線の無線通信品質値を含む無線通信品質データベースと、無線通信回線の所定時間毎の通信速度値を含む通信速度データベースとを含む。通信部は、サーバに対する通信要求と共に無線通信端末装置から送信された時刻データ、端末位置データ、無線通信品質データ、サービス種別データを受信する。位置判定部は、通信部により受信された端末位置データが示す無線通信端末装置の現在地と、地図情報データベースの地図情報とを比較して、無線通信端末装置の現在地をカバーする通信エリアを判定する。閾値決定部は、位置判定部により判定された通信エリアに対応しかつ通信部により受信されたサービス種別データが示す通信サービスに対応する無線通信品質閾値を、無線通信品質データベースに含まれる無線通信品質値を基に決定する。また、閾値決定部は、位置判定部により判定された通信エリアに対応しかつ通信部により受信された時刻データが示す時刻に対応する平均通信速度値を、通信速度データベースに含まれる通信速度値を基に決定する。通信可否判定部は、通信部により受信された無線通信品質データが示す無線通信品質値が閾値決定部により決定された無線通信品質閾値以上であるか否か、および閾値決定部により決定された平均通信速度値が通信部により受信されたサービス種別データが示す通信サービスに応じて決定された通信速度閾値以上であるか否かを判定する。そして、通信可否判定部は、無線通信端末装置の現在地の通信エリアをカバーする無線基地局装置を介した前記無線通信端末装置と前記サーバとの間の通信の開始を許可するか否かを判定結果に従って決定する。
【発明の効果】
【００１３】
一実施形態に従えば、現在位置する通信エリアにおいて無線通信端末装置による通信を可能にしつつ、通信エリアの周波数利用効率の偏りを可及的に解消することができる。
【図面の簡単な説明】
【００１４】
【図１】第１の実施形態に従った無線通信システムの概略的構成図である。
【図２】第１の実施形態に従った無線通信端末装置の例示的なハードウェア構成図である。
【図３】第１の実施形態に従った無線基地局装置の例示的なハードウェア構成図である。
【図４】第１の実施形態に従ったサーバの例示的なハードウェア構成図である。
【図５】第１の実施形態に従った無線通信制御装置の例示的な機能構成図である。
【図６】例示的な地図情報データベースの説明図である。
【図７】無線通信品質データベースの例図である。
【図８】接続端末数データベースの例図である。
【図９】設定接続端末数データベースの例図である。
【図１０】第１の実施形態に従った例示的な無線通信制御処理フローである。
【図１１】第１の実施形態に従った例示的なデータ通信判定処理フローである。
【図１２】第２の実施形態に従った無線通信制御装置の例示的な機能構成図である。
【図１３】第２の実施形態に従った例示的な無線通信制御処理フローである。
【図１４】第２の実施形態に従った例示的なデータ通信判定処理フローである。
【図１５】第３の実施形態に従った例示的な無線通信制御処理フローである。
【図１６】第４の実施形態に従った例示的な無線通信制御処理フローである。
【図１７】第５の実施形態に従ったデータベース管理装置の例示的な機能構成図である。
【図１８】第５の実施形態に従った例示的な無線通信制御処理フローである。
【図１９】第６の実施形態に従ったデータベース管理装置の例示的な機能構成図である。
【図２０】第６の実施形態に従った例示的な無線通信制御処理フローである。
【発明を実施するための形態】
【００１５】
以下、図面を参照しながら、実施形態を詳細に説明する。
＜第１の実施形態＞
図１は、第１の実施形態に従った無線通信システムの概略的構成図である。
【００１６】
図１に示すように、第１の実施形態に従った無線通信システム１は、無線通信端末装置２、無線基地局装置３、通信ネットワーク４、サーバ５、およびGlobal Positioning System（ＧＰＳ）衛星６を含む。
【００１７】
無線通信端末装置２は、無線基地局装置３および通信ネットワーク４を介してサーバ５と通信する装置である。
【００１８】
図２は、第１の実施形態に従った無線通信端末装置の例示的なハードウェア構成図である。図２に示すように、無線通信端末装置２は、Central Processing Unit（ＣＰＵ）２０１、ＧＰＳユニット２０２、Read Only Memory（ＲＯＭ）２０３、Random Access Memory（ＲＡＭ）２０４、Hard Disk Drive（ＨＤＤ）等の補助記憶装置２０５、通信インタフェース２０６、Real Time Clock(ＲＴＣ)回路２０７、入力装置２０８、および表示装置２０９を含む。無線通信端末装置２の構成要素２０１〜２０９は、バス２１０を介して相互に接続される。
【００１９】
ＣＰＵ２０１は、無線通信端末装置２全体の動作を制御する。例えば、ＣＰＵ２０１は、内部に備えるＲＴＣ回路２０７から時刻データを取得する。ＣＰＵ２０１は、ＲＴＣ回路２０７から取得した時刻データと、ＧＰＳユニット２０２を介してＧＰＳ衛星６から受信した時刻データとを用いて、無線通信端末装置２の現在地を示す端末位置を算出する。また、ＣＰＵ２０１は、無線基地局装置３から送信された制御信号を通信インタフェース２０６を介して受信し、受信された制御信号から無線通信端末装置２の現在地における無線通信品質を測定する。
【００２０】
ＲＯＭ２０３には、ブートプログラムやアプリケーションプログラム等のプログラムが記憶される。ＲＡＭ２０４は、各種処理を実行中のＣＰＵ２０１のワークエリアとして使用される。補助記憶装置２０５には、無線基地局装置３を介してサーバ５と通信中の処理データが記憶される。通信インタフェース２０６は、無線通信端末装置２が無線基地局装置３と無線通信を行うためのインタフェースであり、例えば、Digital Signal Processor（ＤＳＰ）である。入力装置２０８は、無線通信端末装置２のユーザからの命令を受信する装置であり、例えば、キーボードやポインティングデバイスである。出力装置は、ＣＰＵ２０１による処理結果を表示する装置であり、例えば、液晶ディスプレイである。
【００２１】
無線通信端末装置２は、Third Generation Partnership Project（３ＧＰＰ）の技術標準仕様書で定義されるUser Equipment（ＵＥ）を含み、例えば、スマートフォンと称される多機能携帯電話や、タブレット端末と称される無線通信機能を有する携帯端末装置である。なお、図１には、１つの無線通信端末装置２が示されているが、無線通信システム１は、複数の無線通信端末装置２を含み得る。
【００２２】
無線基地局装置３は、通信ネットワーク４と接続され、無線基地局装置３がカバーする通信エリア内に存在する無線通信端末装置２との間の無線通信回線を設定、維持、および解放する装置である。
【００２３】
図３は、第１の実施形態に従った無線基地局装置の例示的なハードウェア構成図である。図３に示すように、無線基地局装置３は、ＣＰＵ３０１、ＲＯＭ３０２、ＲＡＭ３０３、ＨＤＤ等の補助記憶装置３０４、および通信インタフェース３０５を含む。無線基地局装置３の構成要素３０１〜３０５は、バス３０６を介して相互に接続される。これらの構成要素の他に、無線基地局装置３に入出力インタフェース（不図示）を設け、キーボード等の入力装置や液晶ディスプレイ等の表示装置が入出力インタフェースに接続されるように無線基地局装置３を構成してもよい。
【００２４】
ＣＰＵ３０１は、無線基地局装置３全体の動作を制御する。ＲＯＭ３０２には、ブートプログラム等のプログラムが記憶される。ＲＡＭ３０３は、各種処理を実行中のＣＰＵ３０１のワークエリアとして使用される。補助記憶装置３０４には、無線基地局装置３が処理中の無線通信端末装置２に関するデータが記憶される。通信インタフェース３０５は、無線基地局装置３が無線通信端末装置２と無線通信を行うためのインタフェースである。また、通信インタフェース３０５は、無線基地局装置３が通信ネットワーク４を介してサーバ５との間でデータを送受信するためのインタフェースである。
【００２５】
無線基地局装置３は、無線通信端末装置２から送信されたデータを受信し、受信されたデータを通信ネットワーク４を介してサーバ５へ送信する。また、無線基地局装置３は、通信ネットワーク４を介してサーバ５から送信されたデータを受信し、受信されたデータを無線通信端末装置２へ送信する。
【００２６】
無線基地局装置３は、例えば、３ＧＧＰの技術標準仕様書で定義されるevolved Node B（ｅＮｏｄｅＢ）である。なお、図１には、１つの無線基地局装置３が示されているが、無線通信システム１は、複数の無線基地局装置３を含み得る。
【００２７】
通信ネットワーク４は、Internet Protocol（ＩＰ）ネットワーク等の通信ネットワークである。
【００２８】
サーバ５は、コンテンツサーバを含み、音声データ、文字データ、画像データ、および動画データ等の各種コンテンツを保存し、保存されたコンテンツを無線通信端末装置２へ送信する装置である。なお、図１には、１つのサーバ５が示されているが、無線通信システム１は、複数のサーバ５を含み得る。
【００２９】
図４は、第１の実施形態に従ったサーバの例示的なハードウェア構成図である。図４に示すように、サーバ５は、ＣＰＵ５０１、ＲＯＭ５０２、ＲＡＭ５０３、ＨＤＤ等の補助記憶装置５０４、および通信インタフェース５０５を含む。サーバ５の構成要素５０１〜５０５は、バス５０６を介して相互に接続される。これらの構成要素の他に、サーバ５に入出力インタフェース（不図示）を設けて、キーボード等の入力装置や液晶ディスプレイ等の表示装置が入出力インタフェースに接続されるようにサーバ５を構成してもよい。
【００３０】
ＣＰＵ５０１は、サーバ５全体の動作を制御する。ＲＯＭ５０２には、ブートプログラム等のプログラムが記憶される。ＲＡＭ５０３は、各種処理を実行中のＣＰＵ５０１のワークエリアとして使用される。補助記憶装置５０４には、無線基地局装置３を介して通信中の無線通信端末装置２に関するデータが記憶される。通信インタフェース５０５は、通信ネットワーク４に接続され、通信ネットワーク４を介して無線基地局装置３に接続される。
【００３１】
第１の実施形態では、サーバ５は、無線通信制御装置７を含む。無線通信制御装置７は、無線通信端末装置２とサーバ５との間の通信制御を後述する無線通信制御処理フローに従って実行する装置である。
【００３２】
図５は、第１の実施形態に従った無線通信制御装置の例示的な機能構成図である。
図５に示すように、無線通信制御装置７は、制御部７１０、記憶部７２０、および通信部７３０を含む。第１の実施形態では、制御部７１０は、例えば、ＣＰＵ５０１、ＲＡＭ５０３、およびＲＯＭ５０２に対応する。記憶部７２０は、例えば、補助記憶装置５０４に対応する。通信部７３０は、例えば、通信インタフェース５０５に対応する。
【００３３】
記憶部７２０には、地図情報データベース７２１、無線通信品質データベース７２２、接続端末数データベース７２３、および設定接続端末数データベース７２４が格納される。
【００３４】
地図情報データベース７２１は、無線通信システム１を構成する無線基地局装置３によりカバーされる通信エリアに従って分割された地図情報を含むデータベースである。図６は、例示的な地図情報データベースの説明図である。図６に示す一例では、地図情報データベース７２１に含まれる地図情報は、緯度および経度データによって区域ａ〜区域ｐの区域に分割されて管理される。分割されたそれぞれの区域は、例えば、無線通信システム１を構成する無線基地局装置３それぞれの通信エリアに対応する。なお、図６に示した一例では、地図情報は、基盤目状に分割されているが、無線基地局装置３によりカバーされる通信エリアの形状に従って分割され得る。
【００３５】
無線通信品質データベース７２２は、無線通信システム１を構成する無線基地局装置３によりカバーされる通信エリア毎の無線通信品質データを管理するためのデータベースである。無線通信端末装置２は、無線基地局装置３から送信された制御信号の無線通信品質値を、無線通信端末装置２の現在地において所定の時間間隔で測定する。無線通信端末装置２は、無線通信端末装置２の現在地を示す端末位置データと共に、測定された無線通信品質値のデータを無線通信制御装置７へ送信する。無線通信制御装置７の制御部７１０は、受信された無線通信品質データを、受信された端末位置データと共に無線通信品質データベース７２２に格納する。図７は、無線通信品質データベースの例図である。図７では、端末位置データである経度データおよび緯度データと共に、無線通信品質データの一例としてSignal to Interference plus Noise power Ratio（ＳＩＮＲ）値が格納される。
【００３６】
なお、図７に示した一例とは異なり、Received Signal Strength Indication（ＲＳＳＩ)値、Reference Signal Received Power（ＲＳＲＰ）値、またはReference Signal Received Quality（ＲＳＲＱ）値が無線通信品質データとして無線通信品質データベース７２２に格納されるように構成してもよい。
【００３７】
また、無線通信品質データベース７２２には、通信サービスに応じて通信エリア毎に設定された無線通信品質閾値が格納される。分類される通信サービスの一例としては、メール受信、ウェブブラウジング、動画再生等が挙げられる。無線通信品質閾値は、当該無線基地局装置３を介してサーバ５から当該通信サービスを無線通信端末装置２が受けるために要求される、無線通信端末装置２と無線基地局装置３との間の無線通信回線の最低限の無線通信品質値である。無線通信品質データベース７２２に格納される無線通信品質データが図７に示した一例のようにＳＩＮＲ値である場合、無線通信品質データベース７２２に格納される無線通信品質閾値は、当該通信サービスの通信を当該通信エリアにおいて行うために最低限必要とされるＳＩＮＲ閾値である。
【００３８】
制御部７１０は、無線通信品質データベース７２２の端末位置データを参照して、無線通信品質データベース７２２の無線通信品質値を地図情報データベース７２１の通信エリア（区域）毎に纏める。制御部７１０は、纏められた無線通信品質値を用いて、通信サービスに応じた無線通信品質閾値を通信エリア毎に算出する。例えば、制御部７１０は、通信エリア毎に纏められた無線通信品質値を用いて、無線通信品質値の累積確率分布を通信エリア毎に作成する。制御部７１０は、作成された累積確率分布を用いて、通信サービスに応じた無線通信品質閾値を通信エリア毎に設定する。例えば、動画の閲覧といった高い無線通信品質が要求される通信サービスの無線通信品質閾値には、累積確率分布の中で累積確率値が最も高い無線通信品質値が設定される。また、ウェブブラウジングといったある程度低い無線通信品質が許容される通信サービスの無線通信品質閾値には、高い無線通信品質が要求される通信サービスの無線通信品質閾値と比較して所定の程度低い無線通信品質値が設定される。
【００３９】
上述のような制御部７１０による無線通信品質閾値の算出処理は、所定の時間間隔で実行され、無線通信品質データベース７２２内の無線通信品質閾値は、所定の時間間隔で更新される。
【００４０】
接続端末数データベース７２３は、通信速度データベースの一例であり、無線通信システム１を構成する無線基地局装置３によりカバーされる各通信エリアの所定時間毎の通信速度に関するデータを管理するためのデータベースである。
【００４１】
図８は、接続端末数データベースの例図である。図８では、通信速度に関するデータの一例として、時刻、緯度、および経度の各データと共に、接続端末数のデータが格納される。接続端末数とは、任意の時刻において無線基地局装置３に接続している無線通信端末装置２の数である。接続端末数データベース７２３に格納される経度および緯度は、無線基地局装置３の設置位置を示す。
【００４２】
なお、図８に示した一例とは異なり、各通信エリアの時間毎の通信速度に関するデータとして、無線通信端末装置２により測定された、無線通信端末装置２と無線基地局装置３との間の無線通信回線のスループット値が通信速度データベースに格納されるように構成してもよい。
【００４３】
設定接続端末数データベース７２４は、通信速度閾値データベースの一例であり、データ種別毎に最低限要求される通信速度の閾値に関するデータを管理するためのデータベースである。
【００４４】
設定接続端末数データベース７２４には、無線基地局装置３と接続可能な無線通信端末装置２の最大数、すなわち、設定接続端末数がデータ種別毎（サービス種別毎）に格納される。設定接続端末数は、通信速度閾値の一例である。図９は、設定接続端末数データベースの例図である。分類されるデータ種別の一例としては、メール受信、ウェブブラウジング、動画再生等が挙げられる。
【００４５】
なお、無線通信システム１を構成する各無線基地局装置３の通信能力が互いに異なる場合には、設定接続端末数データベース７２４は、無線基地局装置３毎に作成され得る。また、無線通信端末装置２により測定されたスループット値が格納される通信速度データベースが用いられる場合には、データ種別毎に要求される最低限のスループット値、すなわちデータ種別毎のスループット閾値が格納される設定通信速度データベースが用いられ得る。
【００４６】
通信部７３０は、無線通信システム１に含まれる他の装置と無線通信制御装置７が通信を行うためのインタフェースである。第１の実施形態では、通信部７３０は、サービス種別データ、端末位置データ、時刻データ、および無線通信品質データを無線通信端末装置２から受信する。サービス種別データは、無線通信端末装置２がサーバ５に提供を要求する通信サービスを示すデータである。
【００４７】
制御部７１０は、図５に示すように、位置判定部７１１、閾値決定部７１２、および通信可否判定部７１３を含む。
【００４８】
位置判定部７１１は、無線通信端末装置２から送信された端末位置データを通信部７３０を介して受信する。位置判定部７１１は、受信された端末位置データと、地図情報データベース７２１により管理される区域の緯度および経度データとを比較して、無線通信端末装置２がどの無線基地局装置３の通信エリアに現在位置するかを判定する。
【００４９】
閾値決定部７１２は、無線通信端末装置２から送信された時刻データ、サービス種別データ、および無線通信品質データを通信部７３０を介して受信する。また、閾値決定部７１２は、位置判定部７１１により判定された通信エリアのデータを受信する。
【００５０】
閾値決定部７１２は、無線通信端末装置２から送信されたサービス種別データが示す通信サービスに対応し、かつ位置判定部７１１により判定された通信エリアに対応する無線通信品質閾値を無線通信品質データベース７２２から抽出する。
【００５１】
閾値決定部７１２は、無線通信端末装置２からデータ通信要求を受けた時刻における平均通信速度値であって、位置判定部７１１により判定された通信エリアの平均通信速度値を算出する。例えば、閾値決定部７１２は、位置判定部７１１により判定された通信エリアと一致する接続端末数データを接続端末数データベース７２３から抽出する。閾値決定部７１２は、抽出された接続端末数データの中から、無線通信端末装置２から送信された時刻データが示す時刻を中心とする所定時間（例えば１時間）の接続端末数データを抽出する。閾値決定部７１２は、抽出された接続端末数データの平均値、すなわち、平均接続端末数を算出する。
【００５２】
通信可否判定部７１３は、抽出された無線通信品質閾値データおよび算出された平均通信速度値データを閾値決定部７１２から受信する。また、通信可否判定部７１３は、無線通信端末装置２から送信された無線通信品質データおよびサービス種別データを通信部７３０を介して受信する。
【００５３】
通信可否判定部７１３は、受信されたサービス種別データにより示される通信サービスに対応する通信速度閾値を設定通信速度データベースから抽出する。例えば、通信可否判定部７１３は、サービス種別データが示す通信サービスに対応する設定接続端末数を設定接続端末数データベース７２４から抽出する。
【００５４】
なお、各無線基地局装置３の通信能力が互いに異なり、無線基地局装置３毎に設定接続端末数データベース７２４が作成される場合、通信可否判定部７１３は、位置判定部７１１により判定された通信エリアのデータを受信する。そして、通信可否判定部７１３は、位置判定部７１１により判定された通信エリアに対応する設定接続端末数データベース７２４の中から、サービス種別データが示す通信サービスに対応する設定接続端末数を抽出する。
【００５５】
通信可否判定部７１３は、無線通信端末装置２がデータ通信を要求した時刻において、無線通信端末装置２の現在地の通信エリアの無線通信品質値が、閾値決定部７１２により抽出された無線通信品質閾値以上であるか否かを判定する。また、無線通信制御装置７は、無線通信端末装置２がデータ通信を要求した時刻において、無線通信端末装置２の現在地の通信エリアの平均通信速度値が、抽出された通信速度閾値以上であるか否かを判定する。そして、通信可否判定部７１３は、判定結果に従って、無線通信端末装置２の現在地の通信エリアをカバーする無線基地局装置３を介した無線通信端末装置２とサーバ５との間の通信を開始するか否かを決定する。
【００５６】
第１の実施形態に従った無線通信システム１において、音声データ、文字データ、画像データ、および動画データ等の多様なデータを無線通信端末装置２がサーバ５から受信するための無線通信制御処理フローの具体例を説明する。
【００５７】
図１０は、第１の実施形態に従った例示的な無線通信制御処理フローである。
無線通信端末装置２は、サーバ５に対して通信サービスを要求する際に、端末位置データ、時刻データ、無線通信品質データ、およびサービス種別データを無線通信制御装置７へ送信する（ステップＳ１０１）。第１の実施形態では、無線通信制御装置７は、サーバ５に含まれる。そこで、無線通信端末装置２は、無線通信端末装置２の現在地の通信エリアをカバーする無線基地局装置３を経由して、これらのデータをサーバ５へ送信する。
【００５８】
時刻データは、無線通信端末装置２がサーバ５に対して通信サービスを要求した時刻である。端末位置データは、例えば、無線通信端末装置２の現在地を示す経度および緯度のデータである。無線通信品質は、無線通信端末装置２の現在地の通信エリアをカバーする無線基地局装置３と無線通信端末装置２との間の無線通信回線の通信品質であり、例えば、ＳＩＮＲ値である。サービス種別は、例えば、ウェブブラウジング、動画のダウンロード、メールの受信、および定期購読データの配信である。
【００５９】
ステップＳ１０１で行われるこれらのデータの送信は、無線通信端末装置２とサーバ５との間の通信が開始されるまで所定の時間間隔で繰り返し行われる。
【００６０】
通信部７３０は、無線通信端末装置２から送信された端末位置データ、時刻データ、無線通信品質データ、およびサービス種別データを受信する（ステップＳ１０２）。
【００６１】
位置判定部７１１は、無線通信端末装置２から送信された端末位置データを通信部７３０から受信する。位置判定部７１１は、受信された端末位置データから無線通信端末装置２の現在地の通信エリアを判定する（ステップＳ１０３）。具体的には、位置判定部７１１は、地図情報データベース７２１を参照し、受信された端末位置データが示す位置と地図情報データベース７２１の区域とを比較する。位置判定部７１１は、端末位置データが示す位置を含む区域を無線通信端末装置２の現在地をカバーする通信エリアとして判定する。位置判定部７１１は、判定された通信エリアのデータを閾値決定部７１２へ送信する。
【００６２】
閾値決定部７１２は、位置判定部７１１により判定された通信エリアのデータを受信する。また、閾値決定部７１２は、無線通信端末装置２から送信された時刻データ、無線通信品質データ、およびサービス種別データを通信部７３０から受信する。
【００６３】
閾値決定部７１２は、無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ１０４）。
【００６４】
閾値決定部７１２は、接続端末数データベース７２３を参照して、無線通信端末装置２から受信した時刻データの時刻に対応し、かつ位置判定部７１１により判定された通信エリアに対応する平均接続端末数を決定する（ステップＳ１０５）。
【００６５】
閾値決定部７１２は、決定された無線通信品質閾値および平均接続端末数の各データを通信可否判定部７１３へ送信する。
【００６６】
通信可否判定部７１３は、決定された無線通信品質閾値および平均接続端末数の各データを閾値決定部７１２から受信する。また、通信可否判定部７１３は、無線通信端末装置２から送信された無線通信品質データおよびサービス種別データを通信部７３０から受信する。
【００６７】
通信可否判定部７１３は、受信された無線通信品質閾値および平均接続端末数を用いて、無線通信端末装置２から送信されたサービス種別データが示す通信サービスの通信の開始を許可するか否かを判定する（ステップＳ１０６）。ステップＳ１０６におけるデータ通信判定処理の一例を図１１を参照しながら説明する。
【００６８】
図１１は、第１の実施形態に従った例示的なデータ通信判定処理フローである。
通信可否判定部７１３は、通信部７３０を介して無線通信端末装置２から受信した無線通信品質データが示す無線通信品質値が閾値決定部７１２により決定された無線通信品質閾値以上であるか否かを判定する。例えば、通信可否判定部７１３は、無線通信品質データにより示されるＳＩＮＲ値が閾値決定部７１２により決定されたＳＩＮＲ閾値以上であるか否かを判定する（ステップＳ２０１）。
【００６９】
無線通信品質データにより示される無線通信品質値が閾値決定部７１２により決定された無線通信品質閾値以上であると判定された場合（ステップＳ２０１で“ＹＥＳ”）、通信可否判定部７１３は、ステップＳ１０６でのデータ通信判定処理を終了する。そして、通信可否判定部７１３は、無線通信制御処理をステップＳ１０７の処理へ進める。
【００７０】
一方、無線通信品質データにより示される無線通信品質値が閾値決定部７１２により決定された無線通信品質閾値未満であると判定された場合（ステップＳ２０１で“ＮＯ”）、通信可否判定部７１３は、ステップＳ２０２の処理を実行する。
【００７１】
ステップＳ２０２において、通信可否判定部７１３は、無線通信端末装置２から送信されたサービス種別データが示す通信サービスに対応する設定接続端末数を設定端末数データベースから抽出する。そして、通信可否判定部７１３は、閾値決定部７１２により決定された平均接続端末数が抽出された設定接続端末数以下であるか否かを判定する。ステップＳ２０２における判定処理は、平均通信速度値が通信速度閾値以上であるか否かの判定処理の一例である。
【００７２】
平均接続端末数が設定接続端末数以下であると判定される場合（ステップＳ２０２で“ＹＥＳ”）、通信可否判定部７１３は、ステップＳ１０６でのデータ通信判定処理を終了し、無線通信制御処理をステップＳ１０７の処理へ進める。
【００７３】
一方、平均接続端末数が設定接続端末数を越えると判定される場合（ステップＳ２０２で“ＮＯ”）、通信可否判定部７１３は、ステップＳ２０３の処理を実行する。
【００７４】
ステップＳ２０３において、通信可否判定部７１３は、通信部７３０を介して無線通信端末装置２から受信したサービス種別データが示す通信サービスが即時性のある通信サービスであるか否かを判定する。
【００７５】
サービス種別データにより示される通信サービスは、通信を即時に開始することが要求される第１の通信サービスと、通信を即時に開始することが必ずしも要求されない第２の通信サービスとに大別できる。
【００７６】
第１の通信サービスの一例としては、ユーザが無線通信端末装置２を用いて、サーバ５が提供する動画をダウンロードして閲覧したり、サーバ５が提供するウェブサイトを閲覧する通信サービスが挙げられる。第１の通信サービスでは、無線通信端末装置２のユーザが入力装置２０８を介して補助記憶装置２０５に格納されたアプリケーションソフトウェアを起動し、起動されたアプリケーションソフトウェアを介してデータの送信をサーバ５へ要求する。このように、第１の通信サービスでは、データの送信をユーザが要求するため、無線通信端末装置２とサーバ５との間の通信は、無線通信端末装置２の現在地の通信エリアをカバーする無線基地局装置３を介して即時に開始する必要がある。
【００７７】
第２の通信サービスの一例としては、ユーザが無線通信端末装置２を用いて、サーバ５から送信されたメールや定期購読の配信データを受信する通信サービスが挙げられる。第２の通信サービスでは、サーバ５は、サーバ５において決定された所定のタイミングで無線通信端末装置２へデータを送信できる。このように、第２の通信サービスでは、サーバ５からデータが送信される具体的なタイミングをユーザは認識していない。そこで、無線通信端末装置２とサーバ５との間の通信は、無線通信端末装置２の現在地の通信エリアの通信環境（無線通信品質や通信速度）が整うまで延期することが可能である。
【００７８】
サービス種別データにより示される通信サービスが即時性のない第２の通信サービスであると判定される場合（ステップＳ２０３で“ＮＯ”）、通信可否判定部７１３は、無線通信制御処理をステップＳ１０２の処理へ戻す。
【００７９】
一方、サービス種別データにより示される通信サービスが即時性のある第１の通信サービスであると判定される場合（ステップＳ２０３で“ＹＥＳ”）、通信可否判定部７１３は、ステップＳ２０４の処理を実行する。
【００８０】
ステップＳ２０４において、通信可否判定部７１３は、無線通信端末装置２とサーバ５との間の通信を開始するか否かの通信開始確認を通信部７３０を介して無線通信端末装置２へ送信する。すなわち、要求された通信サービスを実行するために必要な無線通信品質および通信速度が無線通信端末装置２の現在地において得られなくても、サーバ５との通信を即時に開始するか否かを、通信可否判定部７１３は無線通信端末装置２に確認する。
【００８１】
通信開始確認を受信した無線通信端末装置２の表示装置２０９には、要求された通信サービスを実行するために必要な無線通信品質および通信速度が無線通信端末装置２の現在地において得られなくても通信を即時に開始するか否かの確認画面が表示される。無線通信端末装置２のユーザは、表示された確認画面を参照して、通信を即時に開始するか否かの命令を入力装置２０８を介して無線通信端末装置２に指示する。ＣＰＵ２０１は、ユーザの指示内容を含むデータを通信インタフェース２０６を介して通信部７３０へ送信する。
【００８２】
通信部７３０は、通信を即時に開始するか否かの指示内容を含むデータを無線通信端末装置２から受信し、受信されたデータを通信可否判定部７１３へ送信する。
【００８３】
無線通信端末装置２から送信されたデータの指示内容が通信を即時に開始する指示であった場合（ステップＳ２０４で“ＹＥＳ”）、通信可否判定部７１３は、ステップＳ１０６でのデータ通信判定処理を終了し、無線通信制御処理をステップＳ１０７の処理へ進める。
【００８４】
一方、無線通信端末装置２から送信されたデータの指示内容が通信を即時には開始しない指示、すなわち、通信の開始を延期する指示であった場合（ステップＳ２０４で“ＮＯ”）、通信可否判定部７１３は、無線通信制御処理をステップＳ１０２の処理へ戻す。
【００８５】
無線通信制御処理がステップＳ１０２の処理へ戻された場合、通信部７３０は、無線通信端末装置２から新たに送信された端末位置データ、時刻データ、無線通信品質データ、およびサービス種別データを再度受信する（ステップＳ１０２）。位置判定部７１１は、無線通信端末装置２から新たに送信された端末位置データに基づいて、無線通信端末装置２の現在地の通信エリアを再度判定する（ステップＳ１０３）。例えば、無線通信端末装置２を保持するユーザが移動し、無線通信端末装置２の現在地が変化した場合、前回判定された通信エリアとは異なる通信エリアが無線通信端末装置２の現在地の通信エリアとして判定される可能性がある。閾値決定部７１２は、無線通信端末装置２から新たに送信されたサービス種別データおよび再度判定された通信エリアに基づいて無線通信品質閾値を再度選択する（ステップＳ１０４）。閾値決定部７１２は、無線通信端末装置２から新たに送信された時刻データおよび再度判定された通信エリアに基づいて、平均接続端末数を再度選択する（ステップＳ１０５）。通信可否判定部７１３は、再度選択された無線通信品質閾値および平均接続端末数に基づいて、データ通信判定処理を再度実行する（ステップＳ１０６）。
【００８６】
ステップＳ１０２からステップＳ１０６の上述したような繰り返しの処理は、無線通信端末装置２とサーバ５との間の延期された通信が開始されるまで実行される。
【００８７】
一方、無線通信制御処理がステップＳ１０７の処理へ進められた場合、通信可否判定部７１３は、無線通信端末装置２とサーバ５との間の通信開始を許可することを、無線通信端末装置２と無線通信端末装置２の現在地の通信エリアをカバーする無線基地局装置３とに通知する。そして、無線通信端末装置２の現在地の通信エリアをカバーする無線基地局装置３を介して、無線通信端末装置２とサーバ５との間の通信が実施される。
【００８８】
以上の説明のように、第１の実施形態に従えば、無線通信端末装置２とサーバ５との間で即時に開始する必要がないと分類される通信は、無線通信端末装置２の現在地の通信エリアの通信環境（無線通信品質や通信速度）が改善されるまで延期される。また、通信を即時に開始する必要があると分類される通信であっても、無線通信端末装置２のユーザによって延期が指示された場合には、無線通信端末装置２の現在地の通信エリアの通信環境が改善されるまで通信の開始が延期される。
【００８９】
一方、第１の実施形態に従えば、無線通信端末装置２の現在地の通信エリアの通信環境が良好な場合、無線通信端末装置２とサーバ５との間の通信は、無線通信端末装置２の現在地において即時に開始される。また、無線通信端末装置２の現在地の通信エリアの通信環境が良好ではない場合であっても、通信を即時に開始する必要があると分類される通信は、無線通信端末装置２のユーザの指示によって即時に開始される。
【００９０】
したがって、第１の実施形態に従えば、現在位置する通信エリアにおいて無線通信端末装置による通信を可能にしつつ、通信エリアの周波数利用効率の偏りを可及的に解消することができる。
【００９１】
＜第２の実施形態＞
前述したように、第１の実施形態では、無線通信制御装置７は、無線通信端末装置２がサーバ５にデータ通信を要求した時刻において、無線通信端末装置２の現在地の通信エリアの無線通信品質値が無線通信品質閾値以上であるか否かを判定する。また、無線通信制御装置７は、無線通信端末装置２がサーバ５にデータ通信を要求した時刻において、無線通信端末装置２の現在地の通信エリアの平均通信速度値が通信速度閾値以上であるか否かを判定する。そして、無線通信制御装置７は、判定結果に従って、無線通信端末装置２の現在地の通信エリアをカバーする無線基地局装置３を介した無線通信端末装置２とサーバ５との間の通信を開始するか否かを決定する。
【００９２】
一方、第２の実施形態では、無線通信制御装置は、無線通信端末装置２がサーバ５にデータ通信を要求した時刻において、無線通信端末装置２の現在地の通信エリアの無線通信品質値が無線通信品質閾値以上であるか否かを判定する。また、無線通信制御装置は、無線通信端末装置２の現在地の通信エリアの現在の通信速度値を無線基地局装置３から取得する。無線通信制御装置は、無線通信端末装置２がサーバ５にデータ通信を要求した時刻において、取得された現在の通信速度値が通信速度閾値以上であるか否かを判定する。そして、無線通信制御装置は、判定結果に従って、無線通信端末装置２の現在地の通信エリアをカバーする無線基地局装置３を介した無線通信端末装置２とサーバ５との間の通信を開始するか否かを決定する。
【００９３】
図１２は、第２の実施形態に従った無線通信制御装置の例示的な機能構成図である。図１２に示す無線通信制御装置８は、無線通信端末装置２とサーバ５との間の通信制御を後述する無線通信制御処理フローに従って実行する装置である。図５に示した無線通信制御装置７の構成要素と同じ構成要素には、図１２に示した無線通信制御装置８の構成要素に対して図５と同じ参照符号がふられている。
【００９４】
図１２に示すように、無線通信制御装置８は、制御部８１０、記憶部８２０、および通信部７３０を含む。
【００９５】
制御部８１０は、位置判定部７１１、閾値決定部８１２、および通信可否判定部８１３を含む。
【００９６】
閾値決定部８１２は、無線通信端末装置２から送信されたサービス種別データが示す通信サービスに対応し、かつ位置判定部７１１により判定された通信エリアに対応する無線通信品質閾値データを無線通信品質データベース７２２から抽出する。閾値決定部７１２とは異なり、閾値決定部８１２は、無線通信端末装置２からデータ通信要求を受けた時刻における平均通信速度値であって、位置判定部７１１により判定された通信エリアの平均通信速度値を算出しない。
【００９７】
通信可否判定部８１３は、無線通信端末装置２から送信されたサービス種別データが示す通信サービスに対応する通信速度閾値を通信速度閾値データベースから抽出する。例えば、通信可否判定部８１３は、無線通信端末装置２から送信されたサービス種別データが示す通信サービスに対応する設定接続端末数を設定接続端末数データベース７２４から抽出する。
【００９８】
また、通信可否判定部８１３は、無線通信端末装置２の現在地の通信エリアをカバーする無線基地局装置３から、現在の通信速度値を取得する。例えば、通信可否判定部８１３は、無線通信端末装置２の現在地の通信エリアをカバーする無線基地局装置３から、現在接続中の無線通信端末装置２の数、すなわち、現在の接続端末数を取得する。
【００９９】
通信可否判定部８１３は、抽出された通信速度閾値および取得された現在の通信速度値を用いて、無線通信端末装置２から送信されたサービス種別データが示す通信サービスの通信開始を許可するか否かを判定する。
【０１００】
記憶部８２０には、地図情報データベース７２１、無線通信品質データベース７２２、および設定接続端末数データベース７２４が格納される。記憶部７２０とは異なり、記憶部８２０には、接続端末数データベース７２３が含まれない。前述したように、設定接続端末数データベース７２４は、通信速度閾値データベースの一例である。
【０１０１】
第２の実施形態では、無線通信制御装置８は、サーバ５に含まれる。制御部８１０は、例えば、ＣＰＵ５０１、ＲＡＭ５０３、およびＲＯＭ５０２に対応する。記憶部８２０は、例えば、補助記憶装置５０４に対応する。通信部７３０は、例えば、通信インタフェース５０５に対応する。
【０１０２】
第２の実施形態に従った無線通信システム１において、音声データ、文字データ、画像データ、および動画データ等の多様なデータを無線通信端末装置２がサーバ５から受信するための無線通信制御処理フローの具体例を説明する。
【０１０３】
図１３は、第２の実施形態に従った例示的な無線通信制御処理フローである。
無線通信端末装置２は、サーバ５に対して通信サービスを要求する際に、端末位置データ、時刻データ、無線通信品質データ、およびサービス種別データを無線通信制御装置８へ送信する（ステップＳ３０１）。第２の実施形態では、無線通信制御装置８は、サーバ５に含まれる。そこで、無線通信端末装置２は、無線通信端末装置２の現在地の通信エリアをカバーする無線基地局装置３を経由して、これらのデータをサーバ５へ送信する。ステップＳ３０１で行われるこれらのデータの送信は、無線通信端末装置２とサーバ５との間の通信が開始されるまで所定の時間間隔で繰り返し行われる。
【０１０４】
通信部７３０は、無線通信端末装置２から送信された端末位置データ、時刻データ、無線通信品質データ、およびサービス種別データを受信する（ステップＳ３０２）。
【０１０５】
位置判定部７１１は、無線通信端末装置２から送信された端末位置データを通信部７３０から受信する。位置判定部７１１は、地図情報データベース７２１を参照し、受信された端末位置データが示す位置と地図情報データベース７２１の区域とを比較する。位置判定部７１１は、端末位置データが示す位置を含む区域を無線通信端末装置２の現在地をカバーする通信エリアとして判定する（ステップＳ３０３）。位置判定部７１１は、判定された通信エリアのデータを閾値決定部８１２へ送信する。
【０１０６】
閾値決定部８１２は、位置判定部７１１により判定された通信エリアのデータを受信する。また、閾値決定部８１２は、無線通信端末装置２から送信された時刻データ、無線通信品質データ、およびサービス種別データを通信部７３０より受信する。
【０１０７】
閾値決定部８１２は、無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ３０４）。閾値決定部８１２は、決定された無線通信品質閾値のデータを通信可否判定部８１３へ送信する。
【０１０８】
通信可否判定部８１３は、無線通信端末装置２の現在地の通信エリアをカバーする無線基地局装置３に、現在接続中の無線通信端末装置２の数、すなわち現在の接続端末数を通信部７３０を介して問い合わせる（ステップＳ３０５）。
【０１０９】
無線基地局装置３は、現在の接続端末数の問い合わせを無線通信制御装置８から受信し（ステップＳ３０６）、現在の接続端末数を計算する（ステップＳ３０７）。現在の接続端末数の計算は、無線基地局装置３の制御部が無線基地局装置３の記憶部に格納された通信処理データベース（不図示）内の接続中の無線通信端末装置２の数をカウントすることにより実行される。無線基地局装置３の制御部は、ＣＰＵ３０１、ＲＯＭ３０２、およびＲＡＭ３０３に対応する。無線基地局装置３の記憶部は、補助記憶装置３０４に対応する。
【０１１０】
無線基地局装置３は、計算された現在の接続端末数のデータを無線通信制御装置８へ送信する（ステップＳ３０８）。
【０１１１】
通信可否判定部８１３は、無線通信端末装置２の現在地の通信エリアをカバーする無線基地局装置３から送信された現在の接続端末数のデータを通信部７３０を介して受信する（ステップＳ３０９）。また、通信可否判定部８１３は、無線通信端末装置２から送信された無線通信品質データおよびサービス種別データを通信部７３０から受信する。通信可否判定部８１３は、選択された無線通信品質閾値を閾値決定部８１２から受信する。
【０１１２】
通信可否判定部８１３は、受信された無線通信品質閾値および現在の接続端末数を用いて、無線通信端末装置２から送信されたサービス種別データが示す通信サービスの通信開始を許可するか否かを判定する（ステップＳ３１０）。ステップＳ３１０におけるデータ通信判定処理の一例を図１４を参照しながら説明する。
【０１１３】
図１４は、第２の実施形態に従った例示的なデータ通信判定処理フローである。
通信可否判定部８１３は、無線通信端末装置２から送信された無線通信品質データが示す無線通信品質値が閾値決定部８１２により決定された無線通信品質閾値以上であるか否かを判定する。例えば、通信可否判定部８１３は、無線通信品質データにより示されるＳＩＮＲ値が閾値決定部８１２により決定されたＳＩＮＲ閾値以上であるか否かを判定する（ステップＳ４０１）。
【０１１４】
無線通信品質データにより示される無線通信品質値が閾値決定部８１２により決定された無線通信品質閾値以上であると判定された場合（ステップＳ４０１で“ＹＥＳ”）、通信可否判定部８１３は、ステップＳ３１０でのデータ通信判定処理を終了する。そして、通信可否判定部８１３は、無線通信制御処理をステップＳ３１１の処理へ進める。
【０１１５】
一方、無線通信品質データにより示される無線通信品質値が閾値決定部８１２により決定された無線通信品質閾値未満であると判定された場合（ステップＳ４０１で“ＮＯ”）、通信可否判定部８１３は、ステップＳ４０２の処理を実行する。
【０１１６】
ステップＳ４０２において、通信可否判定部８１３は、無線通信端末装置２から送信されたサービス種別データが示す通信サービスに対応する設定接続端末数を設定端末数データベースから抽出する。そして、通信可否判定部８１３は、無線通信端末装置２の現在地の通信エリアをカバーする無線基地局装置３から受信した現在の接続端末数が、抽出された設定接続端末数以下であるか否かを判定する。ステップＳ４０２における判定処理は、現在の通信速度値が通信速度閾値以上であるか否かの判定処理の一例である。
【０１１７】
現在の接続端末数が設定接続端末数以下であると判定される場合（ステップＳ４０２で“ＹＥＳ”）、通信可否判定部８１３は、ステップＳ３１０でのデータ通信判定処理を終了し、無線通信制御処理をステップＳ３１１の処理へ進める。
【０１１８】
一方、現在の接続端末数が設定接続端末数を越えると判定される場合（ステップＳ４０２で“ＮＯ”）、通信可否判定部８１３は、ステップＳ４０３の処理を実行する。
【０１１９】
ステップＳ４０３において、通信可否判定部８１３は、無線通信端末装置２から送信されたサービス種別データが示す通信サービスが即時性のある通信サービスであるか否かを判定する。即時性のある通信サービスとは、例えば、前述したような第１の通信サービスであり、即時性のない通信サービスとは、例えば、前述したような第２の通信サービスである。
【０１２０】
サービス種別データにより示される通信サービスが即時性のない第２の通信サービスであると判定される場合（ステップＳ４０３で“ＮＯ”）、通信可否判定部８１３は、無線通信制御処理をステップＳ３０２の処理へ戻す。
【０１２１】
一方、サービス種別データにより示される通信サービスが即時性のある第１の通信サービスであると判定される場合（ステップＳ４０３で“ＹＥＳ”）、通信可否判定部８１３は、ステップＳ４０４の処理を実行する。
【０１２２】
ステップＳ４０４において、通信可否判定部８１３は、無線通信端末装置２とサーバ５との間の通信を開始するか否かの通信開始確認を通信部７３０を介して無線通信端末装置２へ送信する。すなわち、要求された通信サービスを実行するために必要な無線通信品質および通信速度が無線通信端末装置２の現在地において得られなくても、サーバ５との通信を即時に開始するか否かを、通信可否判定部８１３は無線通信端末装置２に確認する。通信可否判定部８１３からの通信開始確認を受信した無線通信端末装置２は、通信を即時に開始するか否かの指示内容を含むデータを無線通信制御装置８へ送信する。
【０１２３】
通信部７３０は、通信を即時に開始するか否かの指示内容を含むデータを無線通信端末装置２から受信し、受信されたデータを通信可否判定部８１３へ送信する。
【０１２４】
無線通信端末装置２から送信されたデータの指示内容が通信を即時に開始する指示であった場合（ステップＳ４０４で“ＹＥＳ”）、通信可否判定部８１３は、ステップＳ３１０でのデータ通信判定処理を終了し、無線通信制御処理をステップＳ３１１の処理へ進める。
【０１２５】
一方、無線通信端末装置２から送信されたデータの指示内容が通信を即時には開始しない指示すなわち、通信開始を延期する指示であった場合（ステップＳ４０４で“ＮＯ”）、通信可否判定部８１３は、無線通信制御処理をステップＳ３０２の処理へ戻す。
【０１２６】
無線通信制御処理がステップＳ３０２の処理へ戻された場合、通信部７３０は、無線通信端末装置２から新たに送信された端末位置データ、時刻データ、無線通信品質データ、およびサービス種別データを再度受信する（ステップＳ３０２）。位置判定部７１１は、無線通信端末装置２から新たに送信された端末位置データに基づいて、無線通信端末装置２の現在地の通信エリアを再度判定する（ステップＳ３０３）。閾値決定部８１２は、無線通信端末装置２から新たに送信されたサービス種別データおよび再度判定された通信エリアに基づいて無線通信品質閾値を再度選択する（ステップＳ３０４）。通信可否判定部８１３は、無線通信端末装置２の現在地の通信エリアをカバーする無線基地局装置３に現在の接続端末数を再度問い合わせる（ステップＳ３０５）。再度の問い合わせを受信した無線基地局装置３は、現在の接続端末数を再度計算し（ステップＳ３０６）、計算された現在の接続端末数のデータを無線通信制御装置８へ送信する（ステップＳ３０７）。通信可否判定部８１３は、再度選択された無線通信品質閾値および再度受信された現在の接続端末数に基づいて、データ通信判定処理を再度実行する（ステップＳ３１０）。
【０１２７】
ステップＳ３０２からステップＳ３１０の上述の繰り返しの処理は、無線通信端末装置２とサーバ５との間の延期された通信が開始されるまで実行される。
【０１２８】
一方、無線通信制御処理がステップＳ３１１の処理へ進められた場合、通信可否判定部８１３は、無線通信端末装置２とサーバ５との間の通信の開始を許可することを、無線通信端末装置２と無線通信端末装置２の現在地の通信エリアをカバーする無線基地局装置３とに通知する。そして、無線通信端末装置２の現在地の通信エリアをカバーする無線基地局装置３を介して、無線通信端末装置２とサーバ５との間の通信が開始される。
【０１２９】
以上の説明のように、第２の実施形態に従えば、無線通信端末装置２とサーバ５との間で即時に開始する必要がないと分類される通信は、無線通信端末装置２の現在地の通信エリアの通信環境（無線通信品質や通信速度）が改善されるまで延期される。また、通信を即時に開始する必要があると分類される通信であっても、無線通信端末装置２のユーザによって延期が指示された場合には、無線通信端末装置２の現在地の通信エリアの通信環境が改善されるまで通信の開始が延期される。
【０１３０】
一方、第２の実施形態に従えば、無線通信端末装置２の現在地の通信エリアの通信環境が良好な場合、無線通信端末装置２とサーバ５との間の通信は、無線通信端末装置２の現在地において即時に開始される。また、無線通信端末装置２の現在地の通信エリアの通信環境が良好ではない場合であっても、通信を即時に開始する必要があると分類される通信は、無線通信端末装置２のユーザの指示によって即時に開始される。
【０１３１】
したがって、第２の実施形態に従えば、現在位置する通信エリアにおいて無線通信端末装置による通信を可能にしつつ、通信エリアの周波数利用効率の偏りを可及的に解消することができる。
【０１３２】
また、第２の実施形態では、無線通信端末装置２の現在地の通信エリアをカバーする無線基地局装置３から取得された現在の通信速度値がデータ通信判定処理に用いられる。したがって、第２の実施形態に従えば、無線通信端末装置から要求されたデータ通信を開始すべきか否かの決定を第１の実施形態と比較してより正確に実行できる。
【０１３３】
＜第３の実施形態＞
第１の実施形態では、無線通信制御装置７は、サーバ５に含まれる。
【０１３４】
一方、第３の実施形態では、無線通信制御装置７は、サーバ５に代えて無線基地局装置３に含まれる。
【０１３５】
第３の実施形態において、無線基地局装置３に含まれる無線通信制御装置７の構成要素は、図５に示した構成要素と同じであってよい。制御部７１０は、例えば、ＣＰＵ３０１、ＲＡＭ３０３、およびＲＯＭ３０２に対応する。記憶部７２０は、例えば、補助記憶装置３０４に対応する。通信部７３０は、例えば、通信インタフェース３０５に対応する。
【０１３６】
図１５は、第３の実施形態に従った例示的な無線通信制御処理フローである。
無線通信端末装置２は、サーバ５に対して通信サービスを要求する際に、端末位置データ、時刻データ、無線通信品質データ、およびサービス種別データを無線通信制御装置７へ送信する（ステップＳ５０１）。第３の実施形態では、無線通信制御装置７は、無線基地局装置３に含まれる。そこで、無線通信端末装置２は、無線通信端末装置２の現在地の通信エリアをカバーする無線基地局装置３へこれらのデータを送信する。ステップＳ５０１で行われるこれらのデータの送信は、無線通信端末装置２とサーバ５との間の通信が開始されるまで所定の時間間隔で繰り返し行われる。
【０１３７】
通信部７３０は、無線通信端末装置２から送信された端末位置データ、時刻データ、無線通信品質データ、およびサービス種別データを受信する（ステップＳ５０２）。
【０１３８】
位置判定部７１１は、無線通信端末装置２から送信された端末位置データを通信部７３０を介して受信する。位置判定部７１１は、地図情報データベース７２１を参照し、受信された端末位置データが示す位置と地図情報データベース７２１の区域とを比較する。位置判定部７１１は、端末位置データが示す位置を含む区域を無線通信端末装置２の現在地をカバーする通信エリアとして判定する（ステップＳ５０３）。位置判定部７１１は、判定された通信エリアのデータを閾値決定部７１２へ送信する。
【０１３９】
閾値決定部７１２は、位置判定部７１１により判定された通信エリアのデータを受信する。また、閾値決定部７１２は、無線通信端末装置２から送信された時刻データ、無線通信品質データ、およびサービス種別データを通信部７３０から受信する。
【０１４０】
閾値決定部７１２は、無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ５０４）。
【０１４１】
閾値決定部７１２は、接続端末数データベース７２３を参照して、無線通信端末装置２から受信した時刻データの時刻に対応し、かつ位置判定部７１１により判定された通信エリアに対応する平均接続端末数を決定する（ステップＳ５０５）。
【０１４２】
閾値決定部７１２は、決定された無線通信品質閾値および平均接続端末数の各データを通信可否判定部７１３へ送信する。
【０１４３】
通信可否判定部７１３は、決定された無線通信品質閾値および平均接続端末数の各データを閾値決定部７１２から受信する。また、通信可否判定部７１３は、無線通信端末装置２から送信された無線通信品質データおよびサービス種別データを通信部７３０から受信する。
【０１４４】
通信可否判定部７１３は、受信された無線通信品質閾値および平均接続端末数を用いて、無線通信端末装置２から送信されたサービス種別データが示す通信サービスの通信の開始を許可するか否かを判定する（ステップＳ５０６）。
【０１４５】
ステップＳ５０６におけるデータ通信判定処理は、図１１を参照しながら前述した処理と同じであり得る。ステップＳ５０６におけるデータ通信判定処理の結果、通信の開始が延期される場合には、無線通信制御処理は、ステップＳ５０２の処理へ戻される。ステップＳ５０６におけるデータ通信判定処理の結果、通信の開始が許可される場合には、無線通信制御処理は、ステップＳ５０７の処理へ進められる。
【０１４６】
無線通信制御処理がステップＳ５０７の処理へ進められた場合、通信可否判定部７１３は、無線通信端末装置２とサーバ５との間の通信の開始を許可することを、無線通信端末装置２おおよびサーバ５に通知する。そして、無線通信端末装置２の現在地の通信エリアをカバーする無線基地局装置３を介して、無線通信端末装置２とサーバ５との間の通信が開始される。
【０１４７】
第３の実施形態に従えば、無線通信制御装置７を無線基地局装置３に備えることによって前述した第１の実施形態と同様の効果を得ることができる。
【０１４８】
＜第４の実施形態＞
第２の実施形態では、無線通信制御装置８は、サーバ５に含まれる。
【０１４９】
一方、第４の実施形態では、無線通信制御装置８は、サーバ５に代えて無線基地局装置３に含まれる。
【０１５０】
第４の実施形態において、無線基地局装置３に含まれる無線通信制御装置８の構成要素は、図１２に示した構成要素と同じであってよい。制御部８１０は、例えば、ＣＰＵ３０１、ＲＡＭ３０３、およびＲＯＭ３０２に対応する。記憶部８２０は、例えば、補助記憶装置３０４に対応する。通信部７３０は、例えば、通信インタフェース３０５に対応する。
【０１５１】
図１６は、第４の実施形態に従った例示的な無線通信制御処理フローである。
無線通信端末装置２は、サーバ５に対して通信サービスを要求する際に、端末位置データ、時刻データ、無線通信品質データ、およびサービス種別データを無線通信制御装置８へ送信する（ステップＳ６０１）。第４の実施形態では、無線通信制御装置８は、無線基地局装置３に含まれる。そこで、無線通信端末装置２は、無線通信端末装置２の現在地の通信エリアをカバーする無線基地局装置３へこれらのデータを送信する。ステップＳ６０１で行われるこれらのデータの送信は、無線通信端末装置２とサーバ５との間の通信が開始されるまで所定の時間間隔で繰り返し行われる。
【０１５２】
通信部７３０は、無線通信端末装置２から送信された端末位置データ、時刻データ、無線通信品質データ、およびサービス種別データを受信する（ステップＳ６０２）。
【０１５３】
位置判定部７１１は、無線通信端末装置２から送信された端末位置データを通信部７３０から受信する。位置判定部７１１は、地図情報データベース７２１を参照し、受信された端末位置データが示す位置と地図情報データベース７２１の区域とを比較する。位置判定部７１１は、端末位置データが示す位置を含む区域を無線通信端末装置２の現在地をカバーする通信エリアとして判定する（ステップＳ６０３）。位置判定部７１１は、判定された通信エリアのデータを閾値決定部８１２へ送信する。
【０１５４】
閾値決定部８１２は、位置判定部７１１により判定された通信エリアのデータを受信する。また、閾値決定部８１２は、無線通信端末装置２から送信された時刻データ、無線通信品質データ、およびサービス種別データを通信部７３０から受信する。
【０１５５】
閾値決定部８１２は、無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ６０４）。閾値決定部８１２は、決定された無線通信品質閾値のデータを通信可否判定部８１３へ送信する。
【０１５６】
制御部８１０は、現在処理中の無線通信端末装置２の数、すなわち、現在の接続端末数を計算する（ステップＳ６０５）。現在の接続端末数の計算は、制御部８１０内の計算処理部（不図示）が記憶部８２０に格納された通信処理データベース（不図示）内の接続中の無線通信端末装置２の数をカウントすることにより実行される。制御部８１０内の計算処理部は、計算された現在の接続端末数のデータを通信可否判定部８１３へ送信する。
【０１５７】
通信可否判定部８１３は、無線通信端末装置２から送信された無線通信品質データおよびサービス種別データを通信部７３０を介して受信する。通信可否判定部８１３は、計算処理部から送信された接続端末数データを受信する。通信可否判定部８１３は、決定された無線通信品質閾値を閾値決定部８１２から受信する。
【０１５８】
通信可否判定部８１３は、受信された無線通信品質閾値および接続端末数を用いて、無線通信端末装置２から送信されたサービス種別データが示す通信サービスの通信の開始を許可するか否かを判定する（ステップＳ６０６）。
【０１５９】
ステップＳ６０６におけるデータ通信判定処理は、図１４を参照しながら前述したステップＳ３１０におけるデータ通信判定処理と同じであってよい。ステップＳ６０６におけるデータ通信判定処理の結果、通信の開始が延期される場合には、無線通信制御処理は、ステップＳ６０２の処理へ戻される。ステップＳ６０６におけるデータ通信判定処理の結果、通信の開始が許可される場合には、無線通信制御処理は、ステップＳ６０７の処理へ進められる。
【０１６０】
無線通信制御処理がステップＳ６０７の処理へ進められた場合、通信可否判定部８１３は、無線通信端末装置２とサーバ５との間の通信の開始を許可することを、無線通信端末装置２およびサーバ５に通知する。そして、無線通信端末装置２の現在地の通信エリアをカバーする無線基地局装置３を介して、無線通信端末装置２とサーバ５との間の通信が開始される。
【０１６１】
第４の実施形態に従えば、無線通信制御装置８を無線基地局装置３に備えることによって前述した第２の実施形態と同様の効果を得ることができる。
【０１６２】
＜第５の実施形態＞
第１の実施形態では、無線通信制御装置７は、サーバ５に含まれる。また、第３の実施形態では、無線通信制御装置７は、無線基地局装置３に含まれる。
【０１６３】
一方、第５の実施形態では、無線通信制御装置７は、サーバ５および無線基地局装置３に代えて無線通信端末装置２に含まれる。
【０１６４】
第５の実施形態において、無線通信端末装置２に含まれる無線通信制御装置７の構成要素は、図５に示した構成要素と同じであってよい。制御部７１０は、例えば、ＣＰＵ２０１、ＲＡＭ２０４、およびＲＯＭ２０３に対応する。記憶部７２０は、例えば、補助記憶装置２０５に対応する。通信部７３０は、例えば、通信インタフェース２０６に対応する。
【０１６５】
但し、無線通信制御装置７の記憶部７２０に含まれる各種データベース７２１〜７２４は、後述するデータベース管理装置９から受信したデータベースである。
【０１６６】
第５の実施形態では、サーバ５は、データベース管理装置９を含む。データベース管理装置９は、無線通信制御装置７が無線通信制御処理に用いるデータベースをデータベース管理装置９内の記憶部から抽出し、抽出されたデータベースを無線通信制御装置７へ送信する装置である。
【０１６７】
図１７は、第５の実施形態に従ったデータベース管理装置の例示的な機能構成図である。図５に示した無線通信制御装置７の構成要素と同じ構成要素には、図１７に示したデータベース管理装置９の構成要素に対して図５と同じ参照符号がふられている。
【０１６８】
データベース管理装置９は、制御部９１０、記憶部７２０、および通信部７３０を含む。
【０１６９】
制御部９１０は、位置判定部７１１およびデータベース取得部９１１を含む。制御部９１０は、ＣＰＵ５０１、ＲＯＭ５０２、ＲＡＭ５０３に対応する。記憶部７２０は、補助記憶装置５０４に対応する。通信部７３０は、通信インタフェース５０５に対応する。
【０１７０】
位置判定部７１１は、無線通信端末装置２から送信された端末位置データを通信部７３０を介して受信する。位置判定部７１１は、受信された端末位置データと、地図情報データベース７２１により管理される区域の緯度および経度データとを比較して、無線通信端末装置２がどの無線基地局装置３の通信エリアに現在位置するかを判定する。位置判定部７１１は、判定された通信エリアのデータをデータベース取得部９１１へ送信する。
【０１７１】
データベース取得部９１１は、無線通信端末装置２から送信された時刻データおよびサービス種別データを通信部７３０を介して受信する。また、データベース取得部９１１は、判定された通信エリアのデータを位置判定部７１１から受信する。データベース取得部９１１は、受信されたサービス種別データが示す通信サービス、受信された時刻データが示す時刻、および判定された通信エリアに対応するデータを各種データベース７２１〜７２４から抽出する。データベース取得部９１１は、抽出されたデータをデータベース７２１〜７２４それぞれの形式のデータとして通信部７３０を介して無線通信制御装置７へ送信する。
【０１７２】
図１８は、第５の実施形態に従った例示的な無線通信制御処理フローである。
無線通信端末装置２は、サーバ５に対して通信サービスを要求する際に、端末位置データ、時刻データ、無線通信品質データ、およびサービス種別データをデータベース管理装置９へ送信する（ステップＳ７０１）。第５の実施形態では、データベース管理装置９は、サーバ５に含まれる。そこで、無線通信端末装置２は、無線通信端末装置２の現在地の通信エリアをカバーする無線基地局装置３を経由して、これらのデータをサーバ５へ送信する。ステップＳ７０１で行われるこれらのデータの送信は、無線通信端末装置２とサーバ５との間の通信が開始されるまで所定の時間間隔で繰り返し行われる。
【０１７３】
データベース管理装置９内の通信部７３０は、無線通信端末装置２から送信された端末位置データ、時刻データ、無線通信品質データ、およびサービス種別データを受信する（ステップＳ７０２）。
【０１７４】
データベース管理装置９内の位置判定部７１１は、無線通信端末装置２から送信された端末位置データを通信部７３０から受信する。位置判定部７１１は、地図情報データベース７２１を参照し、受信された端末位置データが示す位置と地図情報データベース７２１の区域とを比較する。位置判定部７１１は、端末位置データが示す位置を含む区域を無線通信端末装置２の現在地をカバーする通信エリアとして判定する。位置判定部７１１は、判定された通信エリアのデータをデータベース取得部９１１へ送信する。
【０１７５】
データベース取得部９１１は、位置判定部７１１により判定された通信エリアデータを受信する。また、データベース取得部９１１は、無線通信端末装置２から送信された時刻データ、無線通信品質データ、およびサービス種別データを通信部７３０から受信する。
【０１７６】
データベース取得部９１１は、判定された通信エリアに対応する区域と判定された通信エリアの周辺区域とを含む所定範囲の区域のデータを地図情報データベース７２１から取得する。
【０１７７】
データベース取得部９１１は、取得された所定範囲の区域に対応し、かつ時刻データが示す時刻を含む所定範囲の時間に対応する無線通信品質値のデータを無線通信品質データベース７２２から取得する。また、データベース取得部９１１は、取得された無線通信品質値に対応し、かつ無線通信端末装置２から送信されたサービス種別データに対応する無線通信品質閾値のデータを無線通信品質データベース７２２から取得する。
【０１７８】
データベース取得部９１１は、取得された所定範囲の区域に対応し、かつ時刻データが示す時刻を含む所定範囲の時間に対応する平均接続端末数のデータを接続端末数データベース７２３から取得する。
【０１７９】
データベース取得部９１１は、サービス種別データに対応する設定接続端末数のデータを設定接続端末数データベース７２４から取得する。
【０１８０】
データベース取得部９１１は、データベース７２１〜７２４からそれぞれ取得されたデータをデータベース７２１〜７２４それぞれの形式のデータとして通信部７３０を介して無線通信制御装置７へ送信する（ステップＳ７０３）。
【０１８１】
無線通信制御装置７の通信部７３０は、データベース管理装置９から送信されたデータを受信する（ステップＳ７０４）。通信部７３０により受信されたデータは、各データベース７２１〜７２４の各形式で記憶部７２０に格納される。
【０１８２】
位置判定部７１１は、記憶部７２０に格納された地図情報データベース７２１を参照し、端末位置データが示す位置と地図情報データベース７２１の区域とを比較する。位置判定部７１１は、端末位置データが示す位置を含む区域を無線通信端末装置２の現在地をカバーする通信エリアとして判定する（ステップＳ７０５）。位置判定部７１１は、判定された通信エリアのデータを閾値決定部７１２へ送信する。
【０１８３】
閾値決定部７１２は、記憶部７２０に格納された無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ７０６）。
【０１８４】
閾値決定部７１２は、記憶部７２０に格納された接続端末数データベース７２３を参照して、無線通信端末装置２から送信された時刻データの時刻に対応し、かつ位置判定部７１１により判定された通信エリアに対応する平均接続端末数を決定する（ステップＳ７０７）。
【０１８５】
閾値決定部７１２は、決定された無線通信品質閾値および平均接続端末数の各データを通信可否判定部７１３へ送信する。
【０１８６】
通信可否判定部７１３は、決定された無線通信品質閾値および平均接続端末数の各データを閾値決定部７１２から受信する。また、通信可否判定部７１３は、無線通信端末装置２から送信された無線通信品質データおよびサービス種別データを通信部７３０より受信する。
【０１８７】
通信可否判定部７１３は、受信された無線通信品質閾値および平均接続端末数を用いて、無線通信端末装置２から送信されたサービス種別データが示す通信サービスの通信の開始を許可するか否かを判定する（ステップＳ７０８）。
【０１８８】
ステップＳ７０８におけるデータ通信判定処理は、図１１を参照しながら前述したステップＳ１０６におけるデータ通信判定処理と同じであってよい。ステップＳ７０８におけるデータ通信判定処理の結果、通信の開始が延期される場合には、無線通信制御処理は、ステップＳ７０１の処理へ戻される。ステップＳ７０８におけるデータ通信判定処理の結果、通信の開始が許可される場合には、無線通信制御処理は、ステップＳ７０９の処理へ進められる。
【０１８９】
無線通信制御処理がステップＳ７０９の処理へ進められた場合、通信可否判定部７１３は、無線通信端末装置２とサーバ５との間の通信の開始を許可することを、無線基地局装置３およびサーバ５に通信部７３０を介して通知する。そして、無線通信端末装置２の現在地の通信エリアをカバーする無線基地局装置３を介して、無線通信端末装置２とサーバ５との間の通信が開始される。
【０１９０】
第５の実施形態に従えば、無線通信制御装置７を無線通信端末装置２に備えることによって前述した第１の実施形態と同様の効果を得ることができる。
【０１９１】
＜第６の実施形態＞
第２の実施形態では、無線通信制御装置８は、サーバ５に含まれる。また、第４の実施形態では、無線通信制御装置８は、無線基地局装置３に含まれる。
【０１９２】
一方、第６の実施形態では、無線通信制御装置８は、サーバ５および無線基地局装置３に代えて無線通信端末装置２に含まれる。
【０１９３】
第６の実施形態において、無線通信端末装置２に含まれる無線通信制御装置８の構成要素は、図１２に示した構成要素と同じであってよい。制御部８１０は、例えば、ＣＰＵ２０１、ＲＡＭ２０４、およびＲＯＭ２０３に対応する。記憶部８２０は、例えば、補助記憶装置２０５に対応する。通信部７３０は、例えば、通信インタフェース２０６に対応する。
【０１９４】
但し、無線通信制御装置８の記憶部８２０に含まれる各種データベース７２１、７２２、および７２４は、後述するデータベース管理装置１０から受信したデータベースである。
【０１９５】
第６の実施形態では、サーバ５は、データベース管理装置１０を含む。データベース管理装置１０は、無線通信制御装置８が無線通信制御処理に用いるデータベースをデータベース管理装置１０内の記憶部から抽出し、抽出されたデータベースを無線通信制御装置８へ送信する装置である。
【０１９６】
図１９は、第６の実施形態に従ったデータベース管理装置の例示的な機能構成図である。図１２に示した無線通信制御装置８の構成要素と同じ構成要素には、図１９に示したデータベース管理装置１０の構成要素に対して図１２と同じ参照符号がふられている。
【０１９７】
データベース管理装置１０は、制御部１０１０、記憶部８２０、および通信部７３０を含む。制御部１０１０は、ＣＰＵ５０１、ＲＯＭ５０２、ＲＡＭ５０３に対応する。記憶部８２０は、補助記憶装置５０４に対応する。通信部７３０は、通信インタフェース５０５に対応する。
【０１９８】
制御部１０１０は、位置判定部７１１およびデータベース取得部１０１１を含む。
位置判定部７１１は、無線通信端末装置２から送信された端末位置データを通信部７３０を介して受信する。位置判定部７１１は、受信された端末位置データと、地図情報データベース７２１により管理される区域の緯度および経度データとを比較して、無線通信端末装置２がどの無線基地局装置３の通信エリアに現在位置するかを判定する。位置判定部７１１は、判定された通信エリアのデータをデータベース取得部１０１１へ送信する。
【０１９９】
データベース取得部１０１１は、無線通信端末装置２から送信された時刻データおよびサービス種別データを通信部７３０を介して受信する。また、データベース取得部１０１１は、判定された通信エリアのデータを位置判定部７１１から受信する。データベース取得部１０１１は、受信されたサービス種別データが示す通信サービス、受信された時刻データが示す時刻、および判定された通信エリアに対応するデータを各種データベース７２１、７２２、および７２４から抽出する。データベース取得部１０１１は、抽出されたデータをデータベース７２１、７２２、および７２４それぞれの形式のデータとして通信部７３０を介して無線通信制御装置８へ送信する。
【０２００】
図２０は、第６の実施形態に従った例示的な無線通信制御処理フローである。
無線通信端末装置２は、サーバ５に対して通信サービスを要求する際に、端末位置データ、時刻データ、無線通信品質データ、およびサービス種別データをデータベース管理装置１０へ送信する（ステップＳ８０１）。第６の実施形態では、データベース管理装置１０は、サーバ５に含まれる。そこで、無線通信端末装置２は、無線通信端末装置２の現在地の通信エリアをカバーする無線基地局装置３を経由して、これらのデータをサーバ５へ送信する。ステップＳ８０１で行われるこれらのデータの送信は、無線通信端末装置２とサーバ５との間の通信が開始されるまで所定の時間間隔で繰り返し行われる。
【０２０１】
データベース管理装置１０内の通信部７３０は、無線通信端末装置２から送信された端末位置データ、時刻データ、無線通信品質データ、およびサービス種別データを受信する（ステップＳ８０２）。
【０２０２】
データベース管理装置１０内の位置判定部７１１は、無線通信端末装置２から送信された端末位置データを通信部７３０から受信する。位置判定部７１１は、地図情報データベース７２１を参照し、受信された端末位置データが示す位置と地図情報データベース７２１の区域とを比較する。位置判定部７１１は、端末位置データが示す位置を含む区域を無縁通信端末装置２の現在地をカバーする通信エリアとして判定する。位置判定部７１１は、判定された通信エリアのデータをデータベース取得部１０１１へ送信する。
【０２０３】
データベース取得部１０１１は、位置判定部７１１により判定された通信エリアのデータを受信する。また、データベース取得部１０１１は、無線通信端末装置２から送信された時刻データ、無線通信品質データ、およびサービス種別データを通信部７３０から受信する。
【０２０４】
データベース取得部１０１１は、判定された通信エリアに対応する区域と判定された通信エリアの周辺区域とを含む所定範囲の区域のデータを地図情報データベース７２１から取得する。
【０２０５】
データベース取得部１０１１は、取得された所定範囲の区域に対応し、かつ時刻データが示す時刻を含む所定範囲の時間に対応する無線通信品質値のデータを無線通信品質データベース７２２から取得する。また、データベース取得部１０１１は、取得された無線通信品質値データに対応し、かつ無線通信端末装置２から送信されたサービス種別データに対応する無線通信品質閾値のデータを無線通信品質データベース７２２から取得する。
【０２０６】
データベース取得部１０１１は、サービス種別データに対応する設定接続端末数のデータを設定接続端末数データベース７２４から取得する。
【０２０７】
データベース取得部１０１１は、データベース７２１、７２２、および７２４からそれぞれ取得されたデータをデータベース７２１、７２２、および７２４それぞれの形式のデータとして通信部７３０を介して無線通信制御装置８へ送信する（ステップＳ８０３）。
【０２０８】
無線通信制御装置８の通信部７３０は、データベース管理装置１０から送信されたデータを受信する（ステップＳ８０４）。通信部７３０により受信されたデータは、記憶部８２０に各データベース７２１、７２２、および７２４の各形式で格納される。
【０２０９】
位置判定部７１１は、格納された地図情報データベース７２１を参照し、端末位置データが示す位置と地図情報データベース７２１の区域とを比較する。位置判定部７１１は、端末位置データが示す位置を含む区域を無線通信端末装置２の現在地をカバーする通信エリアとして判定する（ステップＳ８０５）。位置判定部７１１は、判定された通信エリアのデータを閾値決定部８１２へ送信する。
【０２１０】
閾値決定部８１２は、格納された無線通信品質データベース７２２を参照して、無線通信端末装置２から送信されたサービス種別データが示す通信サービスに対応し、かつ位置判定部７１１により判定された通信エリアに対応する無線通信品質閾値を決定する（ステップＳ８０６）。閾値決定部８１２は、決定された無線通信品質閾値のデータを通信可否判定部８１３へ送信する。
【０２１１】
通信可否判定部８１３は、無線通信端末装置２の現在地の通信エリアをカバーする無線基地局装置３に現在の接続端末数を問い合わせる（ステップＳ８０７）。
【０２１２】
無線基地局装置３は、現在の接続端末数の問い合わせを受信し（ステップＳ８０８）、無線基地局装置３は、現在の接続端末数を計算する（ステップＳ８０９）。無線基地局装置３は、算出された現在の接続端末数のデータを無線通信制御装置８へ送信する（ステップＳ８１０）。
【０２１３】
通信可否判定部８１３は、無線通信端末装置２の現在地の通信エリアをカバーする無線基地局装置３から送信された現在の接続端末数のデータを通信部７３０を介して受信する。（ステップＳ８１１）。また、通信可否判定部８１３は、無線通信端末装置２から送信された無線通信品質データおよびサービス種別データを通信部７３０から受信する。通信可否判定部８１３は、決定された無線通信品質閾値のデータを閾値決定部８１２から受信する。
【０２１４】
通信可否判定部８１３は、受信された無線通信品質閾値および接続端末数を用いて、無線通信端末装置２から送信されたサービス種別データが示す通信サービスの通信の開始を許可するか否かを判定する（ステップＳ８１２）。
【０２１５】
ステップＳ８１２におけるデータ通信判定処理は、図１４を参照しながら前述したステップＳ３１０におけるデータ通信判定処理と同じであってよい。ステップＳ８１２におけるデータ通信判定処理の結果、通信の開始が延期される場合には、無線通信制御処理は、ステップＳ８０１の処理へ戻される。ステップＳ８１２におけるデータ通信判定処理の結果、通信の開始が許可される場合には、無線通信制御処理は、ステップＳ８１３の処理へ進められる。
【０２１６】
無線通信制御処理がステップＳ８１３の処理へ進められた場合、通信可否判定部８１３は、無線通信端末装置２とサーバ５との間の通信を許可することを、無線基地局装置３およびサーバ５に通信部７３０を介して通知する。そして、無線通信端末装置２の現在地の通信エリアをカバーする無線基地局装置３を介して、無線通信端末装置２とサーバ５との間の通信が開始される。
【０２１７】
第６の実施形態に従えば、無線通信制御装置８を無線通信端末装置２に備えることによって前述した第２の実施形態と同様の効果を得ることができる。
【０２１８】
＜第７の実施形態＞
上述した第１〜第６の実施形態は、必要に応じて組み合わせたり、変更することも可能である。
【０２１９】
例えば、無線通信制御装置７または８の各構成要素を無線通信端末装置２、無線基地局装置３、およびサーバ５へ分散させて実装させることも可能である。
【０２２０】
実施形態１〜７を含む本発明の実施形態に関し、更に以下の付記を開示する。
（付記１）
無線基地局装置を介した無線通信端末装置とサーバと間の通信を制御する無線通信制御装置であって、
前記無線基地局装置がカバーする通信エリアに従って分割された地図情報を含む地図情報データベースと、前記無線通信端末装置と前記無線基地局装置との間の無線通信回線の無線通信品質値を含む無線通信品質データベースと、前記無線通信回線の所定時間毎の通信速度値を含む通信速度データベースとを含む記憶部と、
前記サーバに対する通信要求と共に前記無線通信端末装置から送信された時刻データ、端末位置データ、無線通信品質データ、およびサービス種別データを受信する通信部と、
前記通信部により受信された前記端末位置データが示す前記無線通信端末装置の現在地と、前記地図情報データベースの前記地図情報とを比較して、前記無線通信端末装置の現在地をカバーする通信エリアを判定する位置判定部と、
前記位置判定部により判定された前記通信エリアに対応しかつ前記通信部により受信された前記サービス種別データが示す通信サービスに対応する無線通信品質閾値を、前記無線通信品質データベースに含まれる前記無線通信品質値を基に決定し、前記位置判定部により判定された前記通信エリアに対応しかつ前記通信部により受信された前記時刻データが示す時刻に対応する平均通信速度値を、前記通信速度データベースに含まれる前記通信速度値を基に決定する閾値決定部と、
前記通信部により受信された前記無線通信品質データが示す無線通信品質値が前記閾値決定部により決定された前記無線通信品質閾値以上であるか否か、および前記閾値決定部により決定された前記平均通信速度値が前記通信部により受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する通信可否判定部と、
を含む、無線通信制御装置。
（付記２）
前記通信部により受信された前記無線通信品質データが示す無線通信品質値が前記閾値決定部により決定された前記無線通信品質閾値未満であると判定され、かつ前記閾値決定部により決定された前記平均通信速度値が前記通信速度閾値未満であると判定された場合に、前記通信可否判定部は、前記通信部により受信された前記サービス種別データが示す前記通信サービスが通信を即時に開始する必要がある通信サービスであるか否かを判定する、付記１に記載の無線通信制御装置。
（付記３）
前記サービス種別データが示す前記通信サービスが通信を即時に開始する必要がある通信サービスであると判定された場合に、前記通信可否判定部は、要求された前記サーバへの前記通信を開始する否かの確認を前記無線通信端末装置へ送信する、付記２に記載の無線通信制御装置。
（付記４）
前記通信可否判定部は、前記位置判定部により判定された前記通信エリアをカバーする無線基地局装置に、現在の通信速度値を問い合わせ、前記無線基地局装置から受信した現在の通信速度値を前記閾値決定部により決定された前記平均通信速度値の代わりに前記通信の開始を許可するか否かの判定に用いる、付記１〜３の何れか一項に記載の無線通信制御装置。
（付記５）
前記無線通信制御装置は、前記サーバに含まれる、付記１〜４の何れか一項に記載の無線通信制御装置。
（付記６）
前記無線通信制御装置は、前記無線基地局装置に含まれる、付記１〜４の何れか一項に記載の無線通信制御装置。
（付記７）
前記無線通信制御装置は、前記無線通信端末装置に含まれる、付記１〜４の何れか一項に記載の無線通信制御装置。
（付記８）
無線通信端末装置と、
前記無線通信端末装置と無線通信回線を介して通信する無線基地局装置と、
前記無線通信端末からの通信要求に従ってデータを無線通信端末装置へ送信するサーバと、
前記無線基地局装置を介した前記無線通信端末装置と前記サーバと間の通信を制御する無線通信制御装置とを含み、
前記無線通信制御装置は、
前記無線基地局装置がカバーする通信エリアに従って分割された地図情報を含む地図情報データベースと、前記無線通信端末装置と前記無線基地局装置との間の前記無線通信回線の無線通信品質値を含む無線通信品質データベースと、前記無線通信回線の所定時間毎の通信速度値を含む通信速度データベースとを含む記憶部と、
前記サーバに対する通信要求と共に前記無線通信端末装置から送信された時刻データ、端末位置データ、無線通信品質データ、およびサービス種別データを受信する通信部と、
前記通信部により受信された前記端末位置データが示す前記無線通信端末装置の現在地と、前記地図情報データベースの前記地図情報とを比較して、前記無線通信端末装置の現在地をカバーする通信エリアを判定する位置判定部と、
前記位置判定部により判定された前記通信エリアに対応しかつ前記通信部により受信された前記サービス種別データが示す通信サービスに対応する無線通信品質閾値を、前記無線通信品質データベースに含まれる前記無線通信品質値を基に決定し、前記位置判定部により判定された前記通信エリアに対応しかつ前記通信部により受信された前記時刻データが示す時刻に対応する平均通信速度値を、前記通信速度データベースに含まれる前記通信速度値を基に決定する閾値決定部と、
前記通信部により受信された前記無線通信品質データが示す無線通信品質値が前記閾値決定部により決定された前記無線通信品質閾値以上であるか否か、および前記閾値決定部により決定された前記平均通信速度値が前記通信部により受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する通信可否判定部と、を含む、
無線通信システム。
（付記９）
前記通信部により受信された前記無線通信品質データが示す無線通信品質値が前記閾値決定部により決定された前記無線通信品質閾値未満であると判定され、かつ前記閾値決定部により決定された前記平均通信速度値が前記通信速度閾値未満であると判定された場合に、前記通信可否判定部は、前記通信部により受信された前記サービス種別データが示す前記通信サービスが通信を即時に開始する必要がある通信サービスであるか否かを判定する、付記８に記載の無線通信システム。
（付記１０）
前記サービス種別データが示す前記通信サービスが通信を即時に開始する必要がある通信サービスであると判定された場合に、前記通信可否判定部は、要求された前記サーバへの前記通信を開始する否かの確認を前記無線通信端末装置へ送信する、付記９に記載の無線通信システム。
（付記１１）
前記無線通信制御装置は、前記位置判定部により判定された前記通信エリアをカバーする無線基地局装置に、現在の通信速度値を問い合わせ、前記無線基地局装置から受信した現在の通信速度値を前記閾値決定部により決定された前記平均通信速度値の代わりに前記通信の開始を許可するか否かの判定に用いる、付記８〜１０の何れか一項に記載の無線通信システム。
（付記１２）
前記無線通信制御装置は、前記サーバに含まれる、付記８〜１１の何れか一項に記載の無線通信システム。
（付記１３）
前記無線通信制御装置は、前記無線基地局装置に含まれる、付記８〜１１の何れか一項に記載の無線通信システム。
（付記１４）
前記無線通信制御装置は、前記無線通信端末装置に含まれる、付記８〜１１の何れか一項に記載の無線通信システム。
（付記１５）
無線基地局装置を介した無線通信端末装置とサーバと間の通信を無線通信制御装置が制御する無線通信制御方法であって、
前記無線基地局装置がカバーする通信エリアに従って分割された地図情報を含む地図情報データベースと、前記無線通信端末装置と前記無線基地局装置との間の無線通信回線の無線通信品質値を含む無線通信品質データベースと、前記無線通信回線の所定時間毎の通信速度値を含む通信速度データベースとを前記無線通信端末装置の記憶部に格納し、
前記サーバに対する通信要求と共に前記無線通信端末装置から送信された時刻データ、端末位置データ、無線通信品質データ、およびサービス種別データを受信し、
受信された前記端末位置データが示す前記無線通信端末装置の現在地と、前記地図情報データベースの前記地図情報とを比較して、前記無線通信端末装置の現在地をカバーする通信エリアを判定し、
判定された前記通信エリアに対応しかつ受信された前記サービス種別データが示す通信サービスに対応する無線通信品質閾値を、前記無線通信品質データベースに含まれる前記無線通信品質値を基に決定し、
判定された前記通信エリアに対応しかつ受信された前記時刻データが示す時刻に対応する平均通信速度値を、前記通信速度データベースに含まれる前記通信速度値を基に決定し、
受信された前記無線通信品質データが示す無線通信品質値が決定された前記無線通信品質閾値以上であるか否か、および決定された前記平均通信速度値が受信された前記サービス種別データが示す前記通信サービスに応じて決定された通信速度閾値以上であるか否かを判定し、前記無線通信端末装置の現在地の通信エリアをカバーする無線基地局装置を介した前記無線通信端末装置と前記サーバとの間の通信の開始を許可するか否かを判定結果に従い決定する、
無線通信制御方法。
（付記１６）
受信された前記無線通信品質データが示す無線通信品質値が決定された前記無線通信品質閾値未満であると判定され、かつ決定された前記平均通信速度値が前記通信速度閾値未満であると判定された場合に、前記無線通信制御装置は、受信された前記サービス種別データが示す前記通信サービスが通信を即時に開始する必要がある通信サービスであるか否かを判定する、付記１５に記載の無線通信制御方法。
（付記１７）
前記サービス種別データが示す前記通信サービスが通信を即時に開始する必要がある通信サービスであると判定された場合に、前記無線通信制御装置は、要求された前記サーバへの前記通信を開始する否かの確認を前記無線通信端末装置へ送信する、付記１６に記載の無線通信制御方法。
（付記１８）
前記無線通信制御装置は、判定された前記通信エリアをカバーする無線基地局装置に、現在の通信速度値を問い合わせ、前記無線基地局装置から受信した現在の通信速度値を、決定された前記平均通信速度値の代わりに前記通信の開始を許可するか否かの判定に用いる、付記１５〜１７の何れか一項に記載の無線通信制御方法。
（付記１９）
前記無線通信制御装置は、前記サーバに含まれる、付記１５〜１８の何れか一項に記載の無線通信制御方法。
（付記２０）
前記無線通信制御装置は、前記無線基地局装置に含まれる、付記１５〜１８の何れか一項に記載の無線通信制御方法。
（付記２１）
前記無線通信制御装置は、前記無線通信端末装置に含まれる、付記１５〜１９の何れか一項に記載の無線通信制御方法。
【符号の説明】
【０２２１】
１  無線通信システム
２  無線通信端末装置
３  無線基地局装置
４  通信ネットワーク
５  サーバ
６  ＧＰＳ衛星
７、８  無線通信制御装置
９、１０  データベース管理装置
２０１、３０１、５０１  ＣＰＵ
２０２  ＧＰＳユニット
２０３、３０２、５０２  ＲＯＭ
２０４、３０３、５０３  ＲＡＭ
２０５、３０４、５０４  補助記憶装置
２０６、３０５、５０５  通信インタフェース
２０７  ＲＴＣ回路
２０８  入力装置
２０９  表示装置
７１０、８１０、９１０、１０１０  制御部
７１１  位置判定部
７１２、８１２  閾値決定部
７１３、８１３  通信可否判定部
７２０、８２０  記憶部
７２１  地図情報データベース
７２２  無線通信品質データベース
７２３  接続端末数データベース
７２４  設定接続端末数データベース
７３０  通信部
９１１、１０１１  データベース取得部
【図１】
2014143621.tif 000003
【図２】
2014143621.tif 000004
【図３】
2014143621.tif 000005
【図４】
2014143621.tif 000006
【図５】
2014143621.tif 000007
【図７】
2014143621.tif 000008
【図８】
2014143621.tif 000009
【図９】
2014143621.tif 000010
【図１０】
2014143621.tif 000011
【図１１】
2014143621.tif 000012
【図１２】
2014143621.tif 000013
【図１３】
2014143621.tif 000014
【図１４】
2014143621.tif 000015
【図１５】
2014143621.tif 000016
【図１６】
2014143621.tif 000017
【図１７】
2014143621.tif 000018
【図１８】
2014143621.tif 000019
【図１９】
2014143621.tif 000020
【図２０】
2014143621.tif 000021
【図６】
2014143621.tif 000022